(57)【要約】【課題】ダイヤル錠とシリンダー錠を備える錠前装置において、セキュリティ性を高めることのできる技術を提供する。【解決手段】錠前装置は、ダイヤルを有するダイヤル錠と、相手側の係合部に対して係脱自在に設けられ、前記係合部に係合することで施錠対象物を施錠する錠前側係合部材と、前記係合部に対する前記錠前側係合部材の係脱操作を行い、前記ダイヤルが開錠符号に揃っていないときに、前記係合部からの前記錠前側係合部材の係合を解除する係合解除操作が規制される操作部と、前記錠前側係合部材と前記ダイヤル錠との間に介在し、開錠鍵で開錠することによって、前記ダイヤル錠による前記係合解除操作の規制を解除可能な内筒交換式シリンダー錠とを備える。【選択図】図１
2013083082.tif 000002
【特許請求の範囲】
【請求項１】
ダイヤルを有するダイヤル錠と、
相手側の係合部に対して係脱自在に設けられ、前記係合部に係合することで施錠対象物を施錠する錠前側係合部材と、
前記係合部に対する前記錠前側係合部材の係脱操作を行う操作部であって、前記ダイヤルが開錠符号に揃っていないときに、前記錠前側係合部材と前記係合部との係合を解除する係合解除操作が規制される操作部と、
前記錠前側係合部材と前記ダイヤル錠との間に介在し、開錠鍵で開錠することによって、前記ダイヤル錠による前記係合解除操作の規制を解除可能な内筒交換式シリンダー錠と、
を備えることを特徴とする錠前装置。
【請求項２】
前記操作部は、所定の開錠位置と施錠位置との間を回動可能であって、前記施錠位置にあるときに前記錠前側係合部材を前記係合部に係合させ、前記開錠位置にあるときに前記錠前側係合部材を前記係合部から離脱させ、
前記錠前装置は、
錠箱内に揺動自在に設けられた揺動アームと、
前記ダイヤルが前記開錠符号に揃っているときに前記揺動アームの姿勢を所定の第１姿勢に保持し、前記ダイヤルが前記開錠符号に揃わなくなったときに前記揺動アームを前記第１姿勢から所定の第２姿勢まで揺動させるべく前記揺動アームを押圧する姿勢変更手段と、
前記操作部に連動して回動する回動部材であって、前記操作部が前記施錠位置にあるときを除いて前記揺動アームと当接することで前記揺動アームが前記第１姿勢から前記第２姿勢に揺動することを規制する揺動規制部と、前記揺動アームが前記第２姿勢にあるときに前記揺動アームと係合することで前記開錠位置方向への回動動作が規制され、前記揺動アームが前記第１姿勢にあるときに前記揺動アームとの係合が解除されて前記前記揺動アームの前記施錠位置と前記開錠位置との双方向への回動動作が許可される回動規制部とを有する回動部材と、
を更に備えることを特徴とする請求項１に記載の錠前装置。
【請求項３】
前記内筒交換式シリンダー錠は、
前記操作部と一体に設けられた外筒と、
前記外筒に回動自在に支持され、鍵穴に前記開錠鍵が挿入されていないときに前記外筒に対する回動動作が規制される内筒と、
前記内筒の底部に連結されるとともに錠箱の底面を貫通し、前記内筒の回動動作に伴って前記錠前側係合部材をスライドさせる駆動シャフトと、
を有し、
前記駆動シャフトと前記錠前側係合部材とは、前記駆動シャフトの底面に突設された突起部を、前記錠前側係合部材に形成されるとともに前記錠前側係合部材のスライド方向と直交する長軸を有する長孔に挿通させることにより連結されることを特徴とする請求項１又は２に記載の錠前装置。
【発明の詳細な説明】
【技術分野】
【０００１】
本発明は、錠前装置に関する。
【背景技術】
【０００２】
キャビネットやロッカー等を施錠する錠前装置として、ダイヤル錠を備えたものが広く利用されている。ダイヤル錠は、基本的に開錠鍵が不要であるので、不特定の人が利用するロッカー錠に適している。また、利用者が開錠番号（暗証番号）を忘れてしまう場合があるので、強制開錠鍵で開錠可能なシリンダー錠を備えたシリンダー錠付ダイヤル錠も実用化されている（例えば、特許文献１、２等を参照。）。そのため、例えば、利用者がダイヤル錠の開錠番号を忘れても、セキュリティ管理者は、非常開錠鍵（強制開錠鍵）を用いることにより、ダイヤル錠を開錠することができる。
【先行技術文献】
【特許文献】
【０００３】
【特許文献１】特開２０１０−２８１１６０号公報
【特許文献２】特開２０１１−１２４８５号公報
【発明の概要】
【発明が解決しようとする課題】
【０００４】
しかしながら、施錠対象物に備え付ける錠前装置およびこれに対応する非常開錠鍵は、施錠対象物を提供する提供先（顧客）毎に特注する場合を除いて、共通仕様となっていることが多い。そのため、例えば、錠前装置を備えた収納庫を中古で購入した場合、キャビネットの前の所有者が依然として非常開錠鍵を保持していることも考えられ、その場合には前の所有者によって不正に開錠される可能性がある。したがって、錠前装置の供給者（例えば、錠前装置や収納庫等の製造メーカー）は、顧客に非常開錠鍵を提供しにくいという実情があった。そのため、従来では、利用者がダイヤル錠の暗証番号を忘れる度に、錠前装置の供給者に非常開錠サービスを要請する必要があり、迅速な非常開錠が難しかった。また、錠前装置の供給者側からしてみれば、顧客からの要請を受ける度に非常開錠に関するサービスを提供する必要があった。
【０００５】
本発明は、上記実情に鑑みてなされたものであり、ダイヤル錠とシリンダー錠を備える錠前装置において、セキュリティ性を高めることのできる技術を提供することを目的とする。
【課題を解決するための手段】
【０００６】
上記目的を達成するための本発明は、ダイヤルを有するダイヤル錠と、相手側の係合部に対して係脱自在に設けられ、前記係合部に係合することで施錠対象物を施錠する錠前側係合部材と、前記係合部に対する前記錠前側係合部材の係脱操作を行う操作部であって、前記ダイヤルが開錠符号に揃っていないときに、前記錠前側係合部材と前記係合部との係合を解除する係合解除操作が規制される操作部と、前記錠前側係合部材と前記ダイヤル錠との間に介在し、開錠鍵で開錠することによって、前記ダイヤル錠による前記係合解除操作の規制を解除可能な内筒交換式シリンダー錠と、を備える錠前装置を提供する。
【０００７】
上記構成において、施錠対象物とは、例えば収納ワゴン、キャビネット、ロッカー等の収納庫が一例として例示できる。錠前装置の錠前側係合部材は、相手側の係合部に係合することで施錠対象物を施錠し、係合が解除されて離脱することで施錠対象物を開錠する。ここで、錠前装置は、収納庫の扉、引き出し等に据え付けられる。この場合、錠前側係合
部材が係脱する相手側の係合部とは、例えば収納庫の本体側（例えば、枠体側）に設けられたラッチ、受け具等を例示できる。上記構成によれば、施錠対象物の利用者、所有者、セキュリティ管理者等が開錠鍵を用いて内筒交換式シリンダー錠の内筒を自由に交換できる。したがって、たとえ交換前の内筒を開錠可能な鍵を他人が所有していたとしても、施錠対象物の正当な所有者等の意に反して、施錠対象物が不正に開錠されることがなく、高いセキュリティ性を維持することができる。
【０００８】
また、前記操作部は、所定の開錠位置と施錠位置との間を回動可能であって、前記施錠位置にあるときに前記錠前側係合部材を前記係合部に係合させ、前記開錠位置にあるときに前記錠前側係合部材を前記係合部から離脱させるように構成されていてもよい。この場合、前記錠前装置は、錠箱内に揺動自在に設けられた揺動アームと、前記ダイヤルが前記開錠符号に揃っているときに前記揺動アームの姿勢を所定の第１姿勢に保持し、前記ダイヤルが前記開錠符号に揃わなくなったときに前記揺動アームを前記第１姿勢から所定の第２姿勢まで揺動させるべく前記揺動アームを押圧する姿勢変更手段と、前記操作部に連動して回動する回動部材であって、前記操作部が前記施錠位置にあるときを除いて、前記揺動アームと当接することで前記揺動アームが前記第１姿勢から前記第２姿勢に移ることを規制する揺動規制部と、前記揺動アームが前記第２姿勢にあるときに前記揺動アームと係合することで前記施錠位置から前記開錠位置に向かう方向への回動動作が規制され、前記揺動アームが前記第１姿勢にあるときに前記揺動アームとの係合が解除される回動規制部とを有する回動部材とを更に備えるように構成されてもよい。
【０００９】
この構成によれば、揺動アームの姿勢（揺動角度）が第１姿勢にあるときには、揺動アームと回動規制部とが係合せずに、施錠位置から開錠位置に向かう方向への回動部材およびこれに連動する操作部の回動動作が許可される。一方、揺動アームの姿勢が第２姿勢にあるときには、揺動アームと回動規制部とが係合し、施錠位置から開錠位置に向かう方向への回動部材およびこれに連動する操作部の回動動作が規制（制限）される。
【００１０】
ダイヤルが開錠符号に揃っている状態では、揺動アームは第１姿勢に保持されている。揺動アームが第１姿勢にある場合には、操作部の開錠位置から施錠位置に向かう方向への閉操作、および、施錠位置から開錠位置に向かう方向への開操作のいずれも規制されない。ここで、開錠符号に揃っているダイヤル表示を一旦崩してから、操作部の閉操作を行う場合、ダイヤルが開錠符号に揃わなくなった時点で揺動アームは姿勢変更手段に押圧される。これによって、揺動アームは第１姿勢から第２姿勢に姿勢を変更しようとする。しかしながら、操作部は開錠位置にあるため、揺動アームは揺動規制部との当接によって第１姿勢に保持される。そのため、この状態では、操作部の施錠位置方向への回動は規制されず、閉操作を行うことができる。また、操作部が施錠位置に到達するまでは、揺動アームは第２姿勢とならないため、操作部を開錠位置から施錠位置方向に途中まで回動させたのち、再び開錠位置に戻す操作も可能である。
【００１１】
操作部が施錠位置まで回動されると、姿勢変更手段からの押圧によって揺動アームが第２姿勢に変更されるため、揺動アームが回動規制部と係合することによって、操作部の開操作が規制されるようになる。その後、ダイヤル錠のダイヤルを開錠符号に揃えることで、揺動アームが第２姿勢から第１姿勢に変更されることにより、揺動アームと回動規制部と係合との係合が解除され、操作部の開操作が可能となる。以上より、この構成によれば、操作部を閉操作することで施錠対象物を施錠する際、ダイヤル表示が開錠符号に揃った状態であっても、揃っていない状態の何れであっても、施錠対象物の施錠が可能となる。特に、後者の操作を行う場合のように、開錠符号を表示させた状態で施錠対象物を施錠する必要が無いため、施錠時に他人に開錠符号を覗き見されることもなく、以って、他人によって施錠対象物が不正に開錠される虞がない。また、ダイヤル錠を施錠した状態で操作部を施錠位置まで操作した場合、操作部が施錠位置に到達した時点で操作部の開操作が制
限されるようになるので、ダイヤルを開錠符号に再び揃えない限り、施錠対象物を施錠した状態に保持することが出来る。
【００１２】
また、前記内筒交換式シリンダー錠は、前記操作部と一体に設けられた外筒と、前記外筒に回動自在に支持され、鍵穴に前記開錠鍵が挿入されていないときに前記外筒に対する回動動作が規制される内筒と、前記内筒の底部に連結されるとともに錠箱の底面を貫通し、前記内筒の回動動作に伴って前記錠前側係合部材をスライドさせる駆動シャフトと、を有するように構成されていてもよい。この場合、前記駆動シャフトと前記錠前側係合部材とは、前記駆動シャフトの底面に突設された突起部を、前記錠前側係合部材に形成されるとともに前記錠前側係合部材のスライド方向と直交する長軸を有する長孔に挿通させることにより連結されてもよい。これによれば、操作部の回動操作に伴って駆動シャフトが回動すると、その底面に設けられた突起部は円弧の軌跡を描くようにして移動する。この突起部は、錠前側係止部材に形成された長孔に挿通されているため、突起部は、長孔の長軸方向にスライドしつつ円弧運動する。その結果、錠前側係合部材は、長孔の長軸と直交する方向にスライド動作する。本構成によれば、錠前側係合部材のスライド方向（言い換えると、錠前側係合部材をスライドさせたい方向）と直交する方向に長軸を形成することで、錠前側係合部材をスライドさせる方向の選択の幅が広がる。したがって、錠前側係合部材を係合させる相手側の係合部の仕様が変更されても柔軟な対応が可能となり、また、錠前装置を取り付ける位置や向き等、レイアウトの自由度を高めることができる。
【発明の効果】
【００１３】
本発明によれば、ダイヤル錠とシリンダー錠を備える錠前装置において、セキュリティ性を高めることのできる技術を提供することを目的とする。
【図面の簡単な説明】
【００１４】
【図１】実施形態１に係る錠前装置の上面図である。
【図２】実施形態１に係る錠前装置の下面図である。
【図３】実施形態１に係る錠前装置の縦断面図である。
【図４】実施形態１に係る錠前装置の内部を上面側から眺めた図である。
【図５Ａ】非常開錠鍵を示す概略図である。
【図５Ｂ】内筒交換鍵を示す概略図である。
【図６Ａ】内筒の鍵穴に非常開錠鍵を挿入する前の状態を示す図である。
【図６Ｂ】内筒の鍵穴に非常開錠鍵を挿入した状態を示す図である。
【図７】内筒の側面図である。
【図８】図７のＡ−Ａ矢視断面図である。
【図９】図７のＢ−Ｂ矢視断面図である。
【図１０】ダイヤル錠の主要部の部分拡大図である。
【図１１】揺動プレートの概略構成を示す図である。
【図１２】ダイヤル錠が開錠状態のときの揺動プレートおよびインナーホイールの状態を説明する説明図である。
【図１３】ダイヤル錠が施錠状態のときの揺動プレート３４およびインナーホイール３３の状態を説明する説明図である。
【図１４】錠前装置において、カバー部材を外した状態の下面図である。
【図１５】錠前装置において、カバー部材を外した状態の下面図である。
【図１６】ディスクプレートと揺動アームとの関係を説明する説明図である。
【図１７】ディスクプレートと揺動アームとの関係を説明する説明図である。
【図１８】図１６のＣ矢止図である。
【図１９】図１７のＤ矢視図である。
【図２０】番号検索に関連する機構を説明するための説明図である。
【図２１】図２０のＥ−Ｅ矢視断面図である。
【図２２】ナンバーチェンジプレートの動作を説明する説明図である。
【図２３】ナンバーチェンジプレートの動作を説明する説明図である。
【図２４】ナンバーチェンジプレートの動作を説明する説明図である。
【図２５Ａ】内筒の鍵穴に内筒交換鍵を挿入する前の状態を示す図である。
【図２５Ｂ】内筒の鍵穴に内筒交換鍵を挿入した状態を示す図である。
【図２６Ａ】内筒の鍵穴に内筒交換鍵を挿入する前の状態におけるシリンダー錠の断面構造を示す図である。
【図２６Ｂ】内筒の鍵穴に内筒交換鍵を挿入した状態におけるシリンダー錠の断面構造を示す図である。
【図２７】スリーブから内筒を引き抜いている状態を示す図である。
【図２８】変形例に係る錠前装置において、カバー部材を外した状態の下面図である。
【発明を実施するための形態】
【００１５】
以下に図面を参照して、この発明を実施するための形態を例示的に詳しく説明する。なお、本実施の形態に記載されている構成要素の寸法、材質、形状、その相対配置等は、特に特定的な記載がない限りは、発明の技術的範囲をそれらのみに限定する趣旨のものではない。
【００１６】
＜実施形態１＞
[錠前装置の構造]
図１は、実施形態１に係る錠前装置１の上面図（正面図）である。図２は、実施形態１に係る錠前装置１の下面図（背面図）である。図３は、実施形態１に係る錠前装置１の縦（垂直）断面図である。図４は、実施形態１に係る錠前装置１の内部を上面側（正面側）から眺めた図である。
【００１７】
錠前装置１は、錠箱（筐体）２、ダイヤル錠３、内筒交換式シリンダー錠（以下、単に「シリンダー錠」という。）４、ストッパー５、操作つまみ６を備えた操作部６０等を備える。錠前装置１は、例えばオフィスの収納ワゴン、キャビネット、ロッカー等の収納庫に適用され、これら施錠対象物の引き出し、扉等に堅固に取り付けられる。本実施形態では、施錠対象物を収納ワゴンとする場合を例に説明するが、錠前装置１による施錠対象物は上記の例に限定されない。本実施形態では、これらの収納庫が本発明に係る施錠対象物の一例である。また、錠前装置１は、収納庫の開き扉やスライド式扉等の扉体、或いは引き出し等に設けられ、これらを施錠するものであってもよい。
【００１８】
錠箱２は、ダイヤル錠３およびシリンダー錠４を収容する筐体であり、アッパーケース２１、ロアケース２２、カバー部材２３等を有する。アッパーケース２１およびロアケース２２は、互いの側板同士が嵌め込まれることで、上記ダイヤル錠３等の収容空間を形成している。また、ロアケース２２の下部にはカバー部材２３が取り付けられており、通常の使用状態においてロアケース２２の底面はカバー部材２３によって覆われている。
【００１９】
錠箱２（錠前装置１）は、例えば、施錠対象物である収納ワゴンの引き出しに取り付けられており、相手側である収納ワゴンの本体側（枠側）には、ストッパー５が係脱するラッチ（相手側の係合部）が設置されている。このラッチは、収納ワゴンの引き出しが閉止位置に移動させた際に自動的にこれを係留する。本実施形態においては、ストッパー５が錠前側係合部材に対応する。ストッパー５は、錠前装置１の利用者（使用者）が操作部６０の操作つまみ６を操作することによって、スライド動作を行う。このスライド動作によって、ストッパー５は、収納ワゴンのラッチに係合する係合位置と、その係合が解除される係合解除位置との間をスライド移動する。錠前装置１のストッパー５が係合位置に移動し、相手側（収納ワゴンの本体側）のラッチに係合した状態では、収納ワゴンの引き出し
の開放が制限される。つまり、収納ワゴンが施錠される。一方、この施錠状態から操作つまみ６０を操作してストッパー５を係合解除位置にスライドさせると、ストッパー５がラッチから離脱する。その結果、収納ワゴンの引き出しの開放が可能となる。
【００２０】
アッパーケース２１の上面には、「ＯＰＥＮ」（開）、および「ＣＬＯＳＥ」（閉）の文字が表示（印刷、刻印など）されている。使用者は、操作つまみ６を回転（回動）操作して、操作つまみ６の位置を「ＯＰＥＮ」又は「ＣＬＯＳＥ」の何れかに合わせる。操作つまみ６が「ＯＰＥＮ」の位置に合わせられると、ストッパー５は「係合解除位置」に保持されることで、施錠対象物が開錠される。一方、操作つまみ６が「ＣＬＯＳＥ」の位置に合わせられると、ストッパー５は「係合位置」に保持されることで、施錠対象物が施錠される。
【００２１】
ダイヤル錠３は、複数のダイヤル３１を有しており、ダイヤル操作によって、その施錠状態、および開錠状態（解錠状態）が切り替えられる。本実施形態では、４個のダイヤル３１の組み合わせが、設定されている暗証番号（開錠符号）に揃った状態で開錠状態となり、暗証番号に揃っていない状態で施錠状態となる。なお、ダイヤル錠３を開錠するための暗証番号は、変更することができる。ダイヤル錠３の詳細構造については、後述する。ダイヤル３１の数は、実施の形態に応じて適宜変更してもよい。
【００２２】
シリンダー錠４は、内筒の交換が可能な内筒交換式のシリンダー錠である。シリンダー錠４は、利用者がダイヤル錠３の暗証番号を忘れた場合に、後述する非常開錠鍵を使用することで、収納ワゴンを非常開錠する。シリンダー錠４は、外筒部材であるスリーブ４１および錠機構である内筒４２を備える。スリーブ（外筒）４１は、アッパーケース２１に対して回動自在に装着されている。更に、スリーブ４１の内周面側には、内筒４２が回動自在に装着されている。また、スリーブ４１の外周側に、筒形状を有する操作部６０が一体に取り付けられている。操作部６０の上端には、操作部６０を回動動作させるために使用者がつまむための操作つまみ６が設けられている。使用者は、操作つまみ６を回動操作することで、錠箱２に対して操作部６０およびスリーブ４１を回動させることが可能である。
【００２３】
図５Ａは非常開錠鍵７を示す概略図、図５Ｂは内筒交換鍵８を示す概略図である。非常開錠鍵７は、把持部７１及び差込部７２を有し、差込部７２の上下面に鍵溝９Ａが刻まれている。同様に、内筒交換鍵８は、把持部８１および差込部８２を有し、差込部８２の上下面に鍵溝が刻まれている。内筒交換鍵８の差込部８２は、非常開錠鍵７の差込部７２に比べて長い。内筒交換鍵８の差込部８２は、その先端部を除いて、非常開錠鍵７と共通の鍵溝９Ａが形成されている。以下、鍵溝９Ａを「第１鍵溝」と称する。共通の鍵溝とは、鍵溝の形状、深さ等が共通することを意味する。更に、内筒交換鍵８は、差込部８２の先端部に、第２鍵溝９Ｂが形成されている。この第２鍵溝９Ｂは、非常開錠鍵７の差込部７２には設けられていない。第１鍵溝９Ａおよび第２鍵溝９Ｂの数は、実施の形態によって適宜決定されることが好ましい。
【００２４】
図６Ａは、内筒４２の鍵穴に非常開錠鍵７を挿入する前の状態を示す図である。図６Ｂは、内筒４２の鍵穴に非常開錠鍵７を挿入した状態を示す図である。図７は、内筒４２の側面図である。図８は、図７のＡ−Ａ矢視断面図である。図８は、シリンダー錠４の長手方向の断面構造を示す。図９は、図７のＢ−Ｂ矢視断面図である。図６Ａ、図６Ｂに示すように、内筒４２の上端面には、非常開錠鍵７および内筒交換鍵８を挿入可能な鍵穴４２０が形成されている。
【００２５】
内筒４２には、非常開錠鍵７（内筒交換鍵８）の第１鍵溝９Ａおよび内筒交換鍵８の第２鍵溝９Ｂに対応する鍵溝読取位置にスロット４２１が形成されている。スロット４２１
は、内筒４２を径方向に貫通している。各スロット４２１の内部には、タンブラー４２２と、このタンブラー４２２を付勢するスプリング４２３が配置されている。スプリング４２３は、スロット４２１の開口部を通じてタンブラー４２２をスロット４２１の外部に押し出すように付勢する。
【００２６】
図９に示すように、タンブラー４２２は、非常開錠鍵７（内筒交換鍵８）の差込部７２（８２）を挿通可能な鍵挿通孔４２４、スプリング４２３によって押圧される突起部４２５を有する。非常開錠鍵７（内筒交換鍵８）が鍵穴４２０に挿入されていない状態では、スプリング４２３によって突起部４２５が外周方向に付勢されることで、タンブラー４２２がスロット４２１の開口部に向かって移動する。そして、突起部４２５がスロット４２１の縁部に係合することでタンブラー４２２の移動が規制される。その際、図６Ａ、８、９等に示すように、タンブラー４２２の先端部は、内筒４２の外周面から外方に突出した状態となる。
【００２７】
内筒４２のタンブラー４２２のうち、鍵穴４２０から最も遠い位置に配置されるタンブラーを、「ストッパータンブラー」と称し、符号４２２Ａにて示す（図６Ｂを参照）。その他のタンブラーを「一般タンブラー」と称する。図９に示すように、スリーブ４１の内周面には、内筒４２の外周面から突出する一般タンブラー４２２の突出部と係合する係止溝４１１が形成されている。係止溝４１１の幅は、一般タンブラー４２２の幅と同じか僅かに大きく形成されている。一般タンブラー４２２の突出部が係止溝４１１に係止された状態では、内筒４２の回転が制限（規制）される。スリーブ４１の内周面において、係止溝４１１は、内筒４２の収容空間を挟んで真向かい（向い合わせ）となる位置に一対形成されている。ここで、非常開錠鍵７が鍵穴４２０に挿入されると、差込部７２が一般タンブラー４２２の鍵挿通孔４２４を挿通する。そうすると、スプリング４２３によって、スリーブ４１の係止溝４１１に係止される高さまで持ち上げられている一般タンブラー４２２が、スロット４２１内部に引き込まれる。その結果、一般タンブラー４２２と係止溝４１１との係合が解除される。全ての一般タンブラー４２２と係止溝４１１との係合が解除されると、スリーブ４１に対する内筒４２の係合が解除され、内筒４２がスリーブ４１に対して相対回転できるようになる。
【００２８】
一般タンブラー４２２と係止溝４１１との係合が解除されるのは、正規の非常開錠鍵７を使用した場合に限られる。第１鍵溝９Ａの深さが適正でなければ、一般タンブラー４２２をスロット４２１内に完全に引き込むことができず、一般タンブラー４２２と係止溝４１１との係合は解除されない。この場合には、スリーブ４１に対して内筒４２を回動させることが制限（規制）される。図６Ｂに示すように、非常開錠鍵７を鍵穴４２０に挿入した場合、ストッパータンブラー４２２Ａは、依然として内筒４２から突出した状態に維持される。これは、非常開錠鍵７を鍵穴４２０に挿入しても、ストッパータンブラー４２２Ａの鍵挿通孔４２４まで差込部８２が到達せず、ストッパータンブラー４２２Ａがスロット４２１内に引き込まれないからである。
【００２９】
図３、４を参照して、シリンダー錠４に関連する構成について説明する。図４は、アッパーケース２１、シリンダー錠４（スリーブ４１、内筒４２）、操作部６０が取り外された状態の錠前装置１の内部構造を示す。内筒４２に関して、鍵穴４２０が設けられている方を頂部側と定義し、その逆側を底部側と定義する。内筒４２の底部には、ローラー部材１０を介して駆動シャフト１１が嵌め合い状態となるように連結されている。これにより、内筒４２が回転した場合に、ローラー部材１０を介して駆動シャフト１１も内筒４２と一体となって回転する。一方、スリーブ４１および操作部６０の底部側には、これらよりも輪郭の大きな平板状のディスクプレート１２が、スリーブ４１および操作部６０に嵌め合わされた状態で連結されている。ディスクプレート１２は、スリーブ４１および操作部６０が回転した場合に、これに連動してスリーブ４１および操作部６０と一体となって回
転する。本実施形態においては、ディスクプレート１２が回動部材に対応する。
【００３０】
次に、ダイヤル錠３の詳細構造について説明する。図１０は、ダイヤル錠３の主要部の部分拡大図である。ダイヤル錠３は、アッパーケース２１に支持されたダイヤルシャフト３２、ダイヤルシャフト３２に回動自在に外嵌された４個のインナーホイール３３、各インナーホイール３３に外嵌されたダイヤル３１等を有する。ダイヤル３１とインナーホイール３３との間には、クラッチ（図示省略）が介在しており、ダイヤル３１とインナーホイール３３とを噛み合い状態としている。上記クラッチは、例えば、ダイヤル３１側とインナーホイール３３側とに夫々設けられた歯車であってもよい。
【００３１】
ダイヤル３１の外周面には、例えば、０〜９までの符号（数字）が表示されている。ダイヤル３１に表示させる符号は、数字以外の例えばアルファベット等であっても勿論構わない。図１０に示すように、アッパーケース２１の上面には、各ダイヤル３１と相対する位置に窓孔２１１が形成されている。使用者は、アッパーケース２１の外部に窓孔２１１を通じて部分的に露出したダイヤル３１を回転操作する。以下、ダイヤル３１の表示する数字とは、この窓孔２１１に現れる数字を指すものとする。使用者によって、ダイヤル３１の表示が暗証番号（開錠符号）に揃えられることでダイヤル錠４が開錠され、ダイヤル３１の表示が暗証番号から崩されることでダイヤル錠４が施錠される。
【００３２】
ダイヤル錠３に係るダイヤルシャフト３２の端部のうち、シリンダー錠４側の一端を先端側と定義し、逆側を基端側と定義する。ダイヤルシャフト３２の基端側には、スプリング３５が設けられている。スプリング３５は、アッパーケース２１の側面と、ダイヤルシャフト３２の基端に対して最も近い位置に設けられたインナーホイール３３との間に縮んだ状態で挟み込まれている。これにより、各インナーホイール３３は、ダイヤルシャフト３２の基端側から先端側に向かって付勢される。
【００３３】
ダイヤル錠４は、各ダイヤル３１の表示状態に応じて揺動駆動される揺動プレート３４を備える（図４を参照）。図１１は、実施形態１に係る揺動プレート３４の概略構成を示す図である。図１２は、ダイヤル錠３が開錠状態のときの揺動プレート３４およびインナーホイール３３の状態を説明する説明図である。図１３は、ダイヤル錠３が施錠状態のときの揺動プレート３４およびインナーホイール３３の状態を説明する説明図である。図１２、１３は、ダイヤルシャフト３２の基端側から先端側を眺めた状態を示す断面図である。
【００３４】
揺動プレート３４は、梯子型のフレーム板状部材であり、長辺の一方には揺動軸部３４１が形成されている。錠箱２は、揺動軸部３４１を揺動自在に支持している。具体的には、アッパーケース２１側に、揺動プレート３４の揺動軸部３４１を揺動自在に支持する軸受けが形成されている。揺動軸部３４１を含む一組の対向する長辺は、短辺方向に沿った連結部材３４２によって互いに連結されている。各連結部材３４２の中央部上面には、他の部分よりも隆起した凸部３４２Ａが形成されている。また、ロアケース２２には、揺動プレート３４を上方（アッパーケース２１側）に付勢するスプリング３５を装着する台座３６が設けられている。スプリング３５は、台座３６に縮んだ状態で装着されている。スプリング３５の弾性復元力が連結部材３４２の下面に作用することで、揺動プレート３４が揺動軸部３４１を揺動軸として上方に揺動する。各連結部材３４２の上部には、ダイヤルシャフト３２に嵌められた状態のインナーホイール３３が配置されている。したがって、揺動プレート３４の上方への揺動は、各連結部材３４２の上面がインナーホイール３３と当接した時点で制限される。なお、本明細書における上下方向とは、錠箱２において窓孔２１１が設けられる方を上方として定義され、カバー部材２３が設けられる方を下方として定義する。
【００３５】
図１２、１３に示すように、インナーホイール３３における周方向の一部には、凹部３３１が形成されている。各インナーホイール３３に対応するダイヤル３１（窓孔２１１に表示する数字）が暗証番号と一致している場合、インナーホイール３３の凹部３３１に連結部材３４２の凸部３４２Ａが嵌り込むように、インナーホイール３３およびダイヤル３１のダイヤルシャフト３２に対する相対回転角度が調節されている。インナーホイール３３の凹部３３１と連結部材３４２の凸部３４２とが嵌め合い状態にある場合、揺動プレート３４の姿勢（揺動角度）は、略水平に保持される（図１２を参照）。
【００３６】
一方、ダイヤル３１が暗証番号から外れた場合、そのダイヤル３１に対応するインナーホイール３３の停止角度が図１１に示す状態から変更される。これに伴い、インナーホイール３３の凹部３３１の位置も回転によって変更されるため、連結部材３４２の凸部３４２Ａと凹部３３１との嵌め合い状態が解除される。その結果、揺動プレート３４がインナーホイール３３によって下方に押し下げられ、揺動プレート３４の自由端３４７側が揺動軸部３４１側より下方に傾斜した姿勢に保持される（図１３を参照）。
【００３７】
以下、ダイヤル錠３におけるダイヤル３１を左側から第１ダイヤル〜第４ダイヤルと呼ぶ。ダイヤル錠３の暗証番号は、例えば、４桁の数字によって設定される。暗証番号が、例えば「４１８５」に設定されている場合、第１ダイヤルが「４」を表示する状態のときに限り、第１ダイヤルに対応するインナーホイール３３の凹部３３１が、連結部材３４２の凸部３４２と嵌め合い状態となる。同様に、第２ダイヤルが「１」、第３ダイヤルが「８」、第４ダイヤルが「５」を表示する状態のときに限り、夫々のダイヤル３１に対応するインナーホイール３３の凹部３３１が、連結部材３４２の凸部３４２と嵌め合い状態となる。
【００３８】
また、揺動プレート３４は、揺動軸部３４１に対して揺動自在な揺動アーム３４３を有する。揺動アーム３４３は、揺動軸部３４１の一端に軸支されており、揺動軸部３４１を揺動軸として揺動自在である。揺動アーム３４３に隣接する連結部材３４２の上面には、スプリング３４４を装着する押さえ片３４５が突設されている。押さえ片３４５は略Ｌ字形状を有しており、スプリング３４４が縮んだ状態で、揺動アーム３４３に隣接する連結部材３４２の上面と押さえ片３４５との間に挟持されている。これにより、揺動アーム３４３は、スプリング３４４によって下方に付勢される。
【００３９】
揺動アーム３４３の上面には、平板状の小片である水平ストッパー３４６が設けられている。水平ストッパー３４６は、揺動アーム３４３から隣接する連結部材３４２に向けて突出している。これにより、揺動アーム３４３がスプリング３４４によって下方に付勢された際、揺動アーム３４３の上面と隣接する連結部材３４２の上面とが面一になった時点で、水平ストッパー３４６が連結部材３４２の上面に当接する。その結果、揺動アーム３４３のそれ以上の下方へ揺動することが制限される。つまり、水平ストッパー３４６は、揺動アーム３４３が連結部材３４２よりも下方に揺動することを制限している。なお、揺動アーム３４３の上面には、スプリング３４４のずれ止め部材（図示省略）が形成されており、スプリング３４４が揺動アーム３４３の上面から外れることを抑制している。
【００４０】
＜錠前装置の動作＞
次に、錠前装置１の各種動作について説明する。
[施錠対象物の施錠]
施錠対象物を施錠するには、操作部６０の操作つまみ６を「ＯＰＥＮ」の位置（所定の開錠位置）から「ＣＬＯＳＥ」の位置（所定の施錠位置）まで回転させる。以下、この操作つまみ６の操作を「閉操作」という。また、操作つまみ６を「ＣＬＯＳＥ」から「ＯＰＥＮ」の表示位置まで回転させる操作を「開操作」という。本実施形態に係る錠前装置１では、施錠対象物を施錠する際、ダイヤル錠３のダイヤル表示が暗証番号に揃っている状
態と、揃っていない状態の何れにおいても、操作つまみ６の閉操作を行うことができる構造となっている。
【００４１】
（ダイヤル錠が開錠されている状態でのつまみ閉操作）
まず、ダイヤル錠３が開錠されている状態での操作つまみ６の閉操作について説明する。ダイヤル錠３の開錠状態とは、ダイヤル３１が設定されている暗証番号に揃っている状態である。この場合、図１２に示すように、全てのダイヤル３１に対応するインナーホイール３３の凹部３３１と連結部材３４２の凸部３４２Ａとが嵌め合い状態となり、揺動プレート３４の姿勢が水平姿勢に保持される。また、揺動アーム３４３も、揺動プレート３４と同じ水平姿勢となった時点で水平ストッパー３４６が揺動プレート３４（連結部材３４２）の上面に当接する。したがって、ダイヤル錠３が開錠されている状態では、揺動プレート３４および揺動アーム３４３の姿勢は水平状態（第１姿勢）に保持される。この状態で、使用者は操作つまみ６を、ＯＰＥＮ位置からＣＬＯＳＥ位置まで、この施形態では反時計まわりに略９０°回転させることで閉操作を行う。ここで、内筒４２の鍵穴４２０に非常開錠鍵７が挿入されていないため、内筒４２がスリーブ４１と係合することで、その相対回動が制限される。したがって、使用者が操作つまみ６を閉操作することに伴い、駆動シャフト１１が回転駆動される。
【００４２】
図１４、図１５は、錠前装置１において、カバー部材２３を外した状態の下面図（背面図）である。図１４は、操作つまみ６がＯＰＥＮ位置にあり、施錠対象物（例えば、収納ワゴンの引き出し）が開錠されている状態を示す。図１５は、操作つまみ６がＣＬＯＳＥ位置にあり、施錠対象物が施錠されている状態を示す。駆動シャフト１１は円形状を有しており、ロアケース２２の底面を貫通することで、駆動シャフト１１の底面１１０が露出している。この底面１１０の縁部近傍には、底面１１０に垂直に突設する円柱状の突起部１１１が取り付けられている。
【００４３】
ストッパー５は、ロアケース２２の底面に沿って配置されるベース部５１、ベース部５１から鉛直に立ち上がる立ち上がり部５２、この立ち上がり部５２の先端に設けられる先端係合部５３等を含む。この先端係合部５３が相手側の係合部、例えば収納ワゴンの枠体に設けられたラッチと係脱することで、収納ワゴンの施錠、および開錠が実現する。ベース部５１には、楕円形の長孔（長穴）５４が貫通形成されている。長孔５４には、駆動シャフト１１側の突起部１１１が挿通されており、これによってストッパー５と駆動シャフト１１とが連結されている。ベース部５１は、ロアケース２２の短辺方向に沿って伸びている。カバー部材２３の長辺方向における側壁には、ストッパー５のベース部５１を挿通させるための開口（図示省略）が形成されている。そして、ベース部５１の先端側は、カバー部材２３の開口を通じて外部に露出する態様でカバー部材２３がロアケース２２に装着される（図１、２等を参照）。
【００４４】
操作つまみ６の閉操作に伴い駆動シャフト１１が回転すると、その底面１１０に設けられた突起部１１１も円弧の軌跡を描くようにして移動する。図示の例では、ストッパー５における長孔５４の長軸方向は、錠箱２の長辺方向に沿って形成されている。長孔５４の短軸方向の幅は、突起部１１１の径と同じか、僅かに大きな寸法となっている。一方、長孔５４の長軸方向の幅は、突起部１１１の径に比して十分に大きな寸法となっている。操作つまみ６の閉操作を行うと、突起部１１１は、長孔５４内を長軸方向にスライドしつつ円弧運動を行う。その結果、ストッパー５は、図１３に示す状態から図１４に示す状態のように、錠箱２からのベース部５１の突出量が増加する方向にスライド運動を行う。これにより、先端係合部５３が相手側のラッチと係合し、収納ワゴン（施錠対象物）を施錠することができる。
【００４５】
（ダイヤル錠が施錠されている状態でのつまみ閉操作）
ダイヤル錠３の施錠状態とは、ダイヤル３１が暗証番号に揃っていない状態である。この状態では、図１３に示したように、揺動プレート３４（連結部材）の姿勢が水平姿勢よりも下方に押し下げられた姿勢に保持されている。以下、ダイヤル錠３が施錠された状態から操作つまみ６を閉操作する際の動作を説明する。図１６および図１７は、ディスクプレート１２と揺動アーム３４３との関係を説明する説明図である。図１６は、施錠対象物が開錠されている状態（操作つまみ：ＯＰＥＮ位置）を示す。図１７は、施錠対象物が施錠されている状態（操作つまみ：ＣＬＯＳＥ位置）を示す。なお、図１６、１７において、スリーブ４１、内筒４２の図示を省略している。図１８は、図１６のＣ矢止図である。図１９は、図１７のＤ矢視図である。
【００４６】
ディスクプレート１２は、円周方向の一部に、他の領域よりも直径が一段拡がった扇形の扇部１２０が設けられている。扇部１２０と、扇部１２０が設けられていない一般部１２１との境界部に形成されている段差部のうち、ディスクプレート１２を上方から眺めて右側の段差部１２２は、一般部１２１に対して鋭角に接続されている。操作つまみ６がＯＰＥＮ位置にある場合、図１６に示すように、ディスクプレート１２の扇部１２０と、揺動アーム３４３とが上下に重なるように、双方の相対関係が決定されている。この状態では、揺動アーム３４３の下方にディスクプレート１２の扇部１２０が潜り込んでいるため、スプリング３４４によって下方に付勢される揺動アーム３４３が、扇部１２０の上面に当接する。その結果、図１７に示すように、揺動アーム３４３は水平姿勢（第１姿勢）に維持される。本実施形態においては扇部１２０が揺動規制部に対応する。この状態から、操作つまみ６の閉操作が行われると、揺動アーム３４３が扇部１２０の上面を滑るので、ダイヤル錠３のダイヤル３１が暗証番号に合致していなくても、操作つまみ６の閉操作を行うことができる。つまり、暗証番号を非表示の状態でも、操作つまみ６の閉操作を行うことができる。
【００４７】
操作つまみ６がＣＬＯＳＥ位置まで移動すると、図１７に示す位置まで扇部１２０が移動する。そうすると、扇部１２０と揺動アーム３４３との重なり状態が解除され、スプリング３４４の付勢力によって、水平姿勢にある揺動アーム３４３が、揺動プレート３４と同じ揺動角度まで押し下げられる（図１９を参照）。つまり、揺動アーム３４３が水平姿勢よりも下方に揺動した姿勢（第２姿勢）まで押し下げられる。その結果、ディスクプレート１２の扇部１２０と揺動アーム３４３との高さが一致するようになり、揺動アーム３４３の先端部３４３Ａと扇部１２０の段差部１２２とが係合する。これにより、操作つまみ６がＣＬＯＳＥ位置まで移動して施錠対象物の施錠が行われた後は、操作つまみ６をＯＰＥＮ方向に回転させようとしても揺動アーム３４３の先端部３４３Ａが扇部１２０の段差部１２２と干渉することで、操作つまみ６を開操作することができなくなる。なお、操作つまみ６がＯＰＥＮ位置からＣＬＯＳＥ位置に移動する際のストッパー５の動作は、ダイヤル錠３が開錠されている状態で施錠対象物を施錠する場合と同様である。本実施形態においては、段差部１２２が回動規制部に対応する。なお、この実施形態において、揺動プレート３４は、ダイヤル３１が暗証番号に揃っているときに揺動アーム３４３の姿勢を水平姿勢（第１姿勢）に保持し、ダイヤル３１が暗証番号に揃っていないときに揺動アーム３４３の姿勢を水平姿勢よりも下方に揺動する第２姿勢へと変更させる姿勢変更手段に対応する。
【００４８】
以上より、本実施形態に係る錠前装置１では、ダイヤル錠３のダイヤル３１が暗証番号に揃っている状態と、揃っていない状態の何れにおいても、操作つまみ６の閉操作、つまり施錠対象物の施錠操作を行うことができる。ダイヤル３１が暗証番号に揃っていない状態で施錠対象物を施錠する場合、施錠対象物を一旦施錠した後は、揺動アーム３４３の先端部３４３Ａが扇部１２０の段差部１２２に係止されているので、操作つまみ６の開操作を行うことができない。よって、施錠対象物の開錠操作が制限される。ダイヤル錠３が開錠されている状態でつまみ閉操作を行った場合には、使用者は、ダイヤル３１を適当に回
し、ダイヤル表示を暗証番号から崩す。これにより、インナーホイール３３の凹部３３１と揺動プレート３４（連結部材３４２）の凸部３４２との嵌め合い状態が解除される。その結果、水平姿勢にあった揺動プレート３４がインナーホイール３３によって押し下げられ、図１９に示す状態になる。その結果、図１７に示す状態のように、揺動アーム３４３の先端部３４３Ａが扇部１２０の段差部１２２に係止され、操作つまみ６の開操作が制限されるようになる。
【００４９】
[施錠対象物の開錠]
次に、施錠対象物の開錠操作について説明する。使用者は、ダイヤル３１を回転させ、ダイヤル表示を暗証番号に揃わせる。そうすると、各ダイヤル３１に対応するインナーホイール３３の凹部３３１と、揺動プレート３４（連結部材３４２）の凸部３４２とが嵌め合い状態となる。その結果、揺動プレート３４揺動アーム３４３が水平姿勢（第１姿勢）に復帰する（図１１を参照）。これにより、揺動アーム３４３の先端部３４３Ａと扇部１２０の段差部１２２との係合状態が解除され、操作つまみ６をＣＬＯＳＥ位置からＯＰＥＮ位置の方向へ回転させる開操作を行うことができるようになる。その結果、ストッパー５とラッチとの係合状態が解除されることで、施錠対象物を開錠することができる。
【００５０】
[施錠対象物の非常開錠]
ダイヤル錠３の暗証番号がわからなくなった場合には、シリンダー錠４（内筒４２）の鍵穴４２０に非常開錠鍵７を挿入する（図６Ａ、６Ｂを参照）。そうすると、図６〜８で説明したように、内筒４２の一般タンブラー４２１が、スロット４２１内部に引き込まれ、一般タンブラー４２１とスリーブ４１側の係止溝４１１との係合が解除される。これにより、非常開錠鍵７を時計方向に回転させることができる。この場合、ダイヤル錠３の施錠によって操作つまみ６の開操作は制限された状態となっているが、スリーブ４１に対して内筒４２を相対回動させることで、駆動シャフト１１を回動させることができる。スリーブ４１に対する内筒４２の相対回転位置（鍵穴４２０の姿勢）について、一般タンブラー４２１とスリーブ４１の係止溝４１１とが係合する位置を「係止位置」と称する。非常開錠の際には、非常開錠鍵７の把持部７１を回動させ、鍵穴４２０の姿勢を係止位置から時計廻りに９０°回転させた係止解除位置に変更する。これにより、ストッパー５がスライドし、ラッチからストッパー５が離脱することで、収納ワゴンを開錠することができる。
【００５１】
[暗証番号検索]
次に、暗証番号の検索方法について説明する。図２０は、番号検索に関連する機構を説明するための説明図である。図２１は、図２０のＥ−Ｅ矢視断面図である。内筒４２に連結されているローラー部材１０の側面には、後述するナンバーサーチプレート１３を押圧するための押圧片１００が突設されている。ナンバーサーチプレート１３は、ロアケース２２の側面内側に、ダイヤルシャフト３２に平行に配置された部材である。暗証番号を検索する場合、内筒４２の鍵穴４２０に非常開錠鍵７を挿入した状態で、把持部７１を係止解除位置よりも、例えば更に３０°時計廻りに進めた番号検索位置まで回転させる。そうすると、内筒４２に連動してローラー部材１０も回動し、図２０に示すように、ローラー部材１０の押圧片１００が、ナンバーサーチプレート１３の先端部に形成される先端フック部１３０を押圧するようになる。その結果、ナンバーサーチプレート１３が、ダイヤルシャフト３２に沿ってスライドする。
【００５２】
図２１に示すように、ダイヤル錠３の各インナーホイール３３の周面には、その周方向における特定位置に、例えば、三角形状の突起３３２が突設されている。ナンバーサーチプレート１３は、ベース部１３１と、このベース部１３１から上部に立ち上がる検索腕部１３２とを有する。検索腕部１３２は、ダイヤル錠３の各ダイヤル３１に対応して４個設置されている。ナンバーサーチプレート１３は、例えば、不図示のバネ部材によって、ダ
イヤルシャフト３２の先端側から基端側に向かって付勢されている。そして、非常開錠鍵７を番号検索位置まで回転させない通常使用時では、ナンバーサーチプレート１３の各検索腕部１３２と、各インナーホイール３３の突起３３２との、ダイヤルシャフト３２に沿った位置が互いに重ならないようになっている。
【００５３】
番号検索時において、ナンバーサーチプレート１３が、ダイヤルシャフト３２の基端側から先端側に向かってスライドすると、ナンバーサーチプレート１３の各検索腕部１３２の先端部１３２Ａと、検索腕部１３２に対応するインナーホイール３３の突起３３２とが、ダイヤルシャフト３２方向における位置が一致する。ここで、ダイヤルシャフト３２に対して各インナーホイール３３を回転させた場合、各インナーホイール３３の突起３３２に検索腕部１３２の１３２Ａが接触するタイミングで、各インナーホイール３３の凹部３３１が揺動プレート３４の凸部３４２Ａと嵌合するように調節されている。使用者は、各ダイヤル３１を回転させた際の回転抵抗の変化に基づき、各インナーホイール３３の突起３３２と検索腕部１３２とが接触するタイミングを把握することができる。これにより、各ダイヤル３１について、０〜９のいずれの数字が暗証番号に対応しているのかを特定できる。つまり、暗証番号を検索することができる。
【００５４】
[暗証番号変更]
次に、暗証番号の変更（設定）方法について説明する。図２２〜図２４は、暗証番号の変更機構を説明する説明図である。まず、図２を参照すると、ロアケース２２の底面には、ナンバーチェンジスイッチ１４が設けられている。ナンバーチェンジスイッチ１４は、例えばコインやマイナスドライバー等によって回動可能に、一文字型の溝１４０を有する。また、ロアケース２２の底面におけるナンバーチェンジスイッチ１４の周囲には、「使用時」、「番号設定時」との表記が、夫々の目印マークと共に表示されている。夫々の表記に対応する目印マークは、ナンバーチェンジスイッチ１４が９０°回動すると、溝１４０が、各目印マークに相対するように設けられている。なお、錠前装置１の使用時においては、ロアケース２２にカバー部材２３が取り付けられているため、ナンバーチェンジスイッチ１４は露出していない。
【００５５】
次に、図４を参照すると、ロアケース２２の側面内側に、ナンバーチェンジプレート１５が配置されている。ナンバーチェンジプレート１５は、ナンバーサーチプレート１３とは逆側のロアケース２２側面の近傍に、ダイヤルシャフト３２に沿って配置されている。図２２、図２３は、ナンバーチェンジプレート１５の動作を説明する説明図である。図２２は、ナンバーチェンジスイッチ１４が「使用時」の位置にある状態を示す。図２３は、ナンバーチェンジスイッチ１４が「番号設定時」の位置にある状態を示す。また、図２２、図２３、および後述する図２４はいずれも、錠箱２の下方からダイヤル錠３を眺めた状態を示している。ナンバーチェンジプレート１５は、ダイヤルシャフト３２に沿ってスライド自在に、ロアケース２２に支持されるベース部１５０、ベース部１５の先端に設けられる押圧部１５１、ベース部１５の途中にロ字状に設けられたフレーム部１５２等を有する。フレーム部１５２によって囲まれた空間である角穴部１５２Ａには、ナンバーチェンジスイッチ１４に連結されるとともに略半円形状の断面を有する半円柱部材１６が挿通されている。
【００５６】
半円柱部材１６は、ナンバーチェンジスイッチ１４に連動して回動する。例えば、ナンバーチェンジスイッチ１４が、「使用時」から「番号設定時」の位置に９０°回動すると、半円柱部材１６も９０°回動し、図２２から図２３に示す状態にその姿勢を変化させる。半円柱部材１６が回転する際、半円柱部材１６がフレーム部１５２を押圧するので、ナンバーチェンジプレート１５は、ダイヤルシャフト３２の先端側から基端側にスライドする。その結果、押圧部１５１が、ダイヤルシャフト３２の最も先端側に位置するインナーホイール３３を側方から押圧する。その結果、各インナーホイール３３が、スプリング３
５の付勢力に抗して、ダイヤルシャフト３２の先端側から基端側に移動する。一方、ダイヤル３１は外周部が部分的に窓孔２１１から外部に突出しているため、インナーホイール３３がスライドしても、連動しない。その結果、通常状態においては、ダイヤル３１とインナーホイール３３との間に介在するクラッチ１７によって互いに係合するダイヤル３１とインナーホイール３３との係合が解除される（図２４を参照）。なお、クラッチ１７は、例えば、ダイヤル３１側とインナーホイール３３側とに設けられた、互いに噛み合う複数の歯車から構成することができる。更に、ダイヤル錠３は、インナーホイール３３がスライドして、ダイヤル３１とインナーホイール３３との係合が解除されると同時に、インナーホイール３３がダイヤルシャフト３２と係合して、ダイヤルシャフト３２に対するインナーホイール３３の回動動作が制限されるようになっている。
【００５７】
暗証番号の設定変更は、ダイヤル錠３が開錠された状態で行われる。これにより、ダイヤル３１とインナーホイール３３との係合が解除された時点で、各インナーホイール３３の凹部３３１と揺動プレート３４の凸部３４２Ａとが嵌め合い状態にある。この状態で、使用者は、ダイヤル３１を回転させ、自分の好きな番号を窓孔２１１に表示させる。その際、インナーホイール３３はダイヤル３１との係合が解除され、且つ、ダイヤル錠３が開錠された状態であるため、各インナーホイール３３の凹部３３１と揺動プレート３４の凸部３４２Ａとの嵌め合い状態を維持しつつ、窓孔２１１に表示するダイヤル３１の番号を自由に変更することができる。そして、使用者がダイヤル３１を操作して暗証番号を任意の番号に設定する際、インナーホイール３３が固定軸であるダイヤルシャフト３２と係合しているため、ダイヤル３１の回転に引きずられてインナーホイール３３が不用意に回転することがない。これにより、暗証番号が使用者の意に反する番号に誤って設定さてしまうことを抑制できる。使用者は、ダイヤル表示を新たな暗証番号に揃えた後、ナンバーチェンジスイッチ１４を「番号設定時」の位置から「使用時」に復帰させる。これにより、半円柱部材１６によるフレーム部１５２の押圧が解除されるため、スプリング３５の付勢力によってナンバーチェンジプレート１５がスライドする。すなわち、ナンバーチェンジプレート１５が、ダイヤルシャフト３２の基端側から先端側に向かって通常位置に復帰する。その結果、各インナーホイール３３とダイヤルシャフト３２との係合が解除され、各インナーホイール３３と各ダイヤル３１とが再び嵌め合い状態となる。これにより、暗証番号の設定変更が完了し、使用者は暗証番号を任意の番号に変更することができる。
【００５８】
[いたずら抑制機構]
ダイヤル錠３では、アッパーケース２１における窓孔２１１とダイヤル３１の間に僅かな隙間があるが、図９に示したように、ダイヤルシャフト３２に嵌められたインナーホイール３３が窓孔２１１と上下にずれた位置に配置されている。これにより、窓孔２１１とダイヤル３１との隙間から異物を挿入しようとしても、インナーホイール３３に直接干渉することを回避できる。したがって、インナーホイール３３の突起３３２やナンバーサーチプレート１３の検索腕部１３２が異物と接触することを抑制し、ダイヤル錠３が誤作動したり、故障することを回避できる。
【００５９】
[内筒交換方法]
次に、内筒４２を交換する内筒交換方法について説明する。内筒４２の交換には、図５Ｂに示した内筒交換鍵８を鍵穴４２０に挿入する。図２５Ａは、内筒４２の鍵穴４２０に内筒交換鍵８を挿入する前の状態を示す図である。図２５Ｂは、内筒４２の鍵穴４２０に内筒交換鍵８を挿入した状態を示す図である。図２６Ａは、内筒４２の鍵穴４２０に内筒交換鍵８を挿入する前の状態におけるシリンダー錠４の断面構造を示す図である。図２６Ｂは、内筒４２の鍵穴４２０に内筒交換鍵８を挿入した状態におけるシリンダー錠４の断面構造を示す図である。図２６Ａ、２６Ｂは、シリンダー錠４を底部側から眺めた場合の断面構造を示している。図２７は、スリーブ４１から内筒４２を引き抜いている状態を示す図である。
【００６０】
図２５、２６に示すように、ストッパータンブラー４２２Ａは、一方の端部Ｘに比べて他方の端部Ｙの方が、幅が狭くなっている。端部Ｘは、鍵穴４２０に内筒交換鍵８が挿入されていないときに、スプリング４２３の付勢力によって内筒４２の外部に突出する。図２７に示すように、スリーブ４１の内周面のうち、スリーブ４１の底部側には係止溝４１１が形成されていない領域が存在する。係止溝４１１は、スリーブ４１の頂部から長手方向の途中までの範囲で形成されている。また、スリーブ４１の底部側の領域には、係止溝４１１が形成される領域に比べて内径が一段大きく形成された拡径部４１２が形成されており、その境界には段差部４１３が形成されている。スリーブ４１に装着された内筒４２の鍵穴４２０に対して非常開錠鍵７が挿入された場合、ストッパータンブラー４２２Ａの端部Ｘが段差部４１３に係合する。したがって、鍵穴４２０に非常開錠鍵７が挿入された場合には、端部Ｘが段差部４１３に引っ掛かるため、スリーブ４１からの内筒４２の抜け出しが防止される。
【００６１】
図８、２６、２７等に示すように、スリーブ４１の内周面には、一対の対向する係止溝４１１と９０°周方向にずれた位置に、スリーブ４１の長手方向に沿って形成された内筒交換用溝４１４が設けられている。内筒交換用溝４１４の幅は、ストッパータンブラー４２２Ａの端部Ｙの幅と同じか僅かに大きく形成されており、端部Ｘの幅に比べて小さな寸法に形成されている。鍵穴４２０に内筒交換鍵８が挿入されると、第１鍵溝９Ａによって一般タンブラー４２２がスロット４２１内部に完全に引き込まれ、第２鍵溝９Ｂによってストッパータンブラー４２２Ａがスロット４２１に引き込まれる。その際、ストッパータンブラー４２２Ａは、端部Ｘがスロット４２１内に完全に引き込まれるが、端部Ｙが外部に突出する（図２５Ｂ、図２６Ｂ、図２７を参照）。
【００６２】
（ダイヤル錠が開錠されている状態での内筒の引き抜き）
ここで、ダイヤル錠３が開錠されている場合、操作つまみ６をＯＰＥＮ位置からＣＬＯＳＥ位置まで、反時計廻り（施錠方向）に９０°回動させる。これにより、ストッパータンブラー４２２Ａの端部Ｙと、内筒交換用溝４１４との周方向における位置が合致する。よって、この状態で、内筒４２を引っ張ることにより、スリーブ４１から内筒４２を引き抜くことができる。
【００６３】
（ダイヤル錠が施錠されている状態での内筒の引き抜き）
一方、ダイヤル錠３が施錠されている場合、操作つまみ６を回動操作することが制限されている。この場合、鍵穴４２０に挿入した内筒交換鍵８の把持部８１を時計廻り（開錠方向）に９０°回動させる。これにより、ストッパータンブラー４２２Ａの端部Ｙと、内筒交換用溝４１４との周方向における位置が合致する。よって、この状態で、内筒４２を引っ張ることにより、スリーブ４１から内筒４２を引き抜くことができる。
【００６４】
次に、新しい内筒４２をスリーブ４１に装着する場合の手順を説明する。まず、内筒交換鍵８を使用して新たな内筒４２を装着する場合を説明する。
【００６５】
（ダイヤル錠が開錠されている状態での内筒の装着）
ダイヤル錠３が開錠されている状態では、内筒交換鍵８を内筒４２の鍵穴４２０に挿入する。その結果、一般タンブラー４２１が内筒４２内部に完全に引き込まれ、且つ、ストッパータンブラー４２２Ａの端部Ｙが内筒４２内部に引き込まれるとともに端部Ｙが外部に突出した状態となる。そこで、スリーブ４１の内筒交換用溝４１４にストッパータンブラー４２２Ａの端部Ｙの位置を合わせつつ、内筒４２をスリーブ４１内に押し込む。内筒４２を最後まで押し込んだ後、操作つまみ６をＣＬＯＳＥ位置からＯＰＥＮ位置まで時計廻り（開錠方向）に９０°回動させる。これにより、内筒４２のスロット４２１とスリーブ４１の係止溝４１１が相対する。その後、内筒交換鍵８を内筒４２の鍵穴４２０から引
き抜く。その結果、内筒４２の一般タンブラー４２２がスロット４２１から突出し、スリーブ４１の係止溝４１１に係止される。また、ストッパータンブラー４２２Ａは、端部Ｙがスロット４２１内に引き込まれる代わりに端部Ｘが突出し、段差部４１３と係合する。これによって、スリーブ４１への内筒４２の装着が完了する。
【００６６】
なお、スリーブ４１への内筒４２の装着は、内筒交換鍵８の代わりに非常開錠鍵７を使用することができる。図２６に示すように、スリーブ４１の頂部には、ストッパータンブラー４２２Ａの端部Ｘが突出した状態で内筒４２をスリーブ４１内部に押し込む際、突出状態の端部Ｘを摺接させることで、スロット４２１内に端部Ｘを押し込むためのスロープ部４１５が設けられている。スロープ部４１５は、スリーブ４１の内周面がテーパー形状となっており、頂部側から底部側に向かって徐々に内径が縮小している。また、スロープ部４１５は、スリーブ４１内周面の周方向において、内筒交換用溝４１４と対向する位置に形成されている。また、スロープ部４１５の幅は、ストッパータンブラー４２２Ａの端部Ｘの幅と同じかそれよりも大きな寸法に形成されている。
【００６７】
上記構成においては、内筒４２の鍵穴４２０に非常開錠鍵７を挿入し、ストッパータンブラー４２２Ａの端部Ｘをスリーブ４１のスロープ部４１５に位置合わせした上で、内筒４２をスリーブ４１内に押し込む。これにより、ストッパータンブラー４２２Ａの端部Ｘがスロープ部４１５を駆け上がり、スプリング４２３の付勢力に抗して端部Ｘがスロット４２１内部に引き込まれる。その際、ストッパータンブラー４２２Ａの端部Ｙがスロット４２１から外部に突出しようとする。これに対して、スロープ部４１５が、内筒交換用溝４１４の対向面に形成されているため、内筒４２から突出する端部Ｙを内筒交換用溝４１４内に収めつつ内筒４２を押し込むことが可能となる。その後は、操作つまみ６をＣＬＯＳＥ位置からＯＰＥＮ位置まで時計廻り（開錠方向）に９０°回動させて、非常開錠鍵７を引き抜く。その結果、内筒４２の一般タンブラー４２２が係止溝４１１に係止され、ストッパータンブラー４２２Ａの端部Ｘが段差部４１３と係合する。これによって、スリーブ４１への内筒４２の装着が完了する。
【００６８】
（ダイヤル錠が施錠されている状態での内筒の装着）
次に、ダイヤル錠３が施錠されている場合での内筒４２の装着について説明する。この場合、操作つまみ６を回動操作することが制限されているため、内筒交換鍵８を内筒４２の鍵穴４２０に挿入する。その際、ダイヤル錠３が施錠されている状態で内筒交換鍵８を使用する場合と同様、スリーブ４１の内筒交換用溝４１４にストッパータンブラー４２２Ａの端部Ｙの位置を合わせつつ、内筒４２をスリーブ４１内に押し込む。内筒４２の押し込みが完了した後、鍵穴４２０に挿入した内筒交換鍵８の把持部８１を反時計廻り（施錠方向）に９０°回動させる。その後、内筒交換鍵８を鍵穴４２０から引き抜くことで、内筒４２の一般タンブラー４２２がスリーブ４１の係止溝４１１に係止され、ストッパータンブラー４２２Ａの端部Ｘが突出するとともに段差部４１３と係合する。これによって、スリーブ４１への内筒４２の装着が完了する。
【００６９】
ここで、ダイヤル錠３が施錠されている場合にも、内筒交換鍵８の代わりに非常開錠鍵７を使用して内筒４２の装着を行うことができる。この場合、内筒４２の鍵穴４２０に非常開錠鍵７を挿入し、ストッパータンブラー４２２Ａの端部Ｘをスリーブ４１のスロープ部４１５に位置合わせした上で、内筒４２をスリーブ４１内に押し込む。これにより、ストッパータンブラー４２２Ａの端部Ｘをスロット４２１内に押し戻しつつ、内筒４２をスリーブ４１内に押し込むことができる。その後、鍵穴４２０に挿入した非常開錠鍵７を反時計廻り（施錠方向）に９０°回動させた後、非常開錠鍵７を鍵穴４２０から引き抜く。その結果、内筒４２の一般タンブラー４２２が係止溝４１１に係止され、ストッパータンブラー４２２Ａの端部Ｘが段差部４１３と係合することで、スリーブ４１への内筒４２の装着が完了する。
【００７０】
以上述べた実施形態では、ストッパー５を、錠箱２の短辺方向に沿ってスライドさせているが、図２８に示すように錠箱２の長辺方向に沿ってスライドすることも可能である。図２８には、カバー部材を外した状態の錠前装置１の下面を示している。図２８の構成では、図１４に示す状態から、ストッパー５および駆動シャフト１１を紙面時計方向に９０°回転させた状態で設置している。この場合、駆動シャフト１１に設けられた突起部１１１が挿通する長孔５４の長軸は、錠箱２（ロアケース２２）の短辺に平行となる。この状態から、操作つまみ６を回動操作すると、錠箱２の長辺方向に沿ってスライド運動させることができる。なお、ストッパー５のベース部５１を挿通させるために設ける開口は、カバー部材２３における短辺側の側壁に形成される。その場合、ベース部５１を挿通させる開口の幅は、開口を挿通するベース部５１の幅より若干のクリアランスを設けた寸法にするとよい。例えば、上記クリアランス寸法は、操作つまみ６を回動操作時に、ストッパー５のスライド方向が、錠箱２の辺に対して斜めにならないように、適正な値に設定することが好ましい。図１４、図１５、図２８で説明したように、本実施形態では、操作つまみ６の回転動作を、ストッパー５のスライド動作に変換できるとともに、そのスライド方向を錠箱２の前後方向、左右方向の何れに対しても選択的に設定することができる。したがって、ストッパー５を係合させる相手側の係合部の仕様が変更されても柔軟な対応が可能となり、また、錠前装置１を取り付ける位置や向き等、レイアウトの自由度を高めることができる。
【００７１】
また、錠前装置１によれば、ダイヤル錠３と内筒交換式のシリンダー錠４を備えるので、シリンダー錠４の内筒４２を自由に交換することができる。そのため、例えば、錠前装置１を備え付ける収納庫を中古で購入した際、新しい所有者はシリンダー錠４の内筒を交換することで、前の所有者が依然として非常開錠鍵を所有していたとしても、収納庫が旧所有者によって開錠される心配がない。したがって、錠前装置１の供給者は、錠前装置１の非常開錠鍵７を顧客に提供しても、セキュリティレベルが低下することがない。そのため、収納庫の利用者がダイヤル錠３の暗証番号を忘れた場合、例えばセキュリティ管理者が非常開錠鍵７を用いて自ら迅速に収納庫の非常開錠を行うことができる。また、錠前装置１の供給者にとっても、収納庫の利用者がダイヤル錠３の暗証番号を忘れる度に非常開錠サービスの要請を受けることがなくなるため、大幅な負担の軽減が期待できる。また、錠前装置１は、スリーブ４１の外周側に操作部６０を一体に形成し、その上端に操作つまみ６を設けたので、操作つまみとシリンダー錠４とを別体に設ける場合に比べて、錠前装置１のコンパクト化を図ることができる。
【符号の説明】
【００７２】
１      錠前装置
２      錠箱
３      ダイヤル錠
４      内筒交換式シリンダー錠
５      ストッパー
６      操作つまみ
７      非常開錠鍵
８      内筒交換鍵
【図１】
2013083082.tif 000003
【図２】
2013083082.tif 000004
【図３】
2013083082.tif 000005
【図４】
2013083082.tif 000006
【図５Ａ】
2013083082.tif 000007
【図５Ｂ】
2013083082.tif 000008
【図６Ａ】
2013083082.tif 000009
【図６Ｂ】
2013083082.tif 000010
【図７】
2013083082.tif 000011
【図８】
2013083082.tif 000012
【図９】
2013083082.tif 000013
【図１０】
2013083082.tif 000014
【図１１】
2013083082.tif 000015
【図１２】
2013083082.tif 000016
【図１３】
2013083082.tif 000017
【図１４】
2013083082.tif 000018
【図１５】
2013083082.tif 000019
【図１６】
2013083082.tif 000020
【図１７】
2013083082.tif 000021
【図１８】
2013083082.tif 000022
【図１９】
2013083082.tif 000023
【図２０】
2013083082.tif 000024
【図２１】
2013083082.tif 000025
【図２２】
2013083082.tif 000026
【図２３】
2013083082.tif 000027
【図２４】
2013083082.tif 000028
【図２５Ａ】
2013083082.tif 000029
【図２５Ｂ】
2013083082.tif 000030
【図２６Ａ】
2013083082.tif 000031
【図２６Ｂ】
2013083082.tif 000032
【図２７】
2013083082.tif 000033
【図２８】
2013083082.tif 000034